(57)【要約】【課題】本発明は、機能部品を有する本体部と、携帯端末装置が載置される載置部とを別個に構成することで、携帯端末装置に応じた載置部に交換できるクレードル装置を提供することを目的とする。【解決手段】本発明のクレードル２は、電子部を有する本体部２２０と、本体部２２０に着脱可能に連結されると共に、携帯電話機１が載置された状態で該携帯電話機１に配置される携帯電話機側端子群１９と電気的に接続されるクレードル側端子群９１１を有する載置部２１０と、本体部２２０と載置部２１０とを連結する連結部材７００と、携帯電話機側端子群１９と前記電子部とを電気的に接続させる接続部材８００と、を備えることを特徴とする。【選択図】図４
2008252277.tif 000002
【特許請求の範囲】
【請求項１】
電子部を有する本体部と、
前記本体部に着脱可能に連結されると共に、携帯端末装置が載置された状態で該携帯端末装置に配置される被接続端子と電気的に接続される接続端子を有する載置部と、
前記本体部と前記載置部とを連結する連結部材と、
前記接続端子と前記電子部とを電気的に接続させる接続部材と、を備えることを特徴とするクレードル装置。
【請求項２】
前記電子部は、電力供給部を有し、
前記接続端子は、前記載置部に前記携帯端末装置が載置された場合、前記接続部材を介して前記電力供給部から供給された電力を前記被接続端子に出力する請求項１に記載のクレードル装置。
【請求項３】
前記電子部は、スピーカを有し、
前記接続端子は、前記載置部に前記携帯端末装置が載置された場合、前記被接続端子から出力された音響信号を前記接続部材を介して前記スピーカに出力する請求項１又は２に記載のクレードル装置。
【請求項４】
前記電子部は、アンテナ部品を有し、
前記接続端子は、前記載置部に前記携帯端末装置が載置された場合、前記接続部材を介して前記アンテナ部品から出力される放送受信信号を前記被接続端子に出力する請求項１から３のいずれか１項に記載のクレードル装置。
【請求項５】
前記接続部材は、前記連結部材と一体的に配置され、
前記載置部と前記本体部とが前記連結部材により連結された場合、前記接続端子と前記電子部とが電気的に接続される請求項１から４のいずれか１項に記載のクレードル装置。
【請求項６】
前記載置部は、前記連結部材により前記本体部に対して回動可能に連結される請求項１から５のいずれか１項に記載のクレードル装置。
【発明の詳細な説明】
【技術分野】
【０００１】
本発明は、クレードル装置に関する。
【背景技術】
【０００２】
近年、携帯電話機等の携帯端末装置の普及が進んでいる。携帯電話機に収納されるバッテリの充電は、クレードル装置により行われている。例えば、携帯電話機を載置した状態で、この携帯電話機に配置された充電端子に接続される給電端子を有するクレードル装置が提案されている（例えば、特許文献１参照）。
【０００３】
ここで、携帯電話機の音楽再生機能の向上やＴＶアプリケーションの搭載により、クレードル装置の機能も向上されている。例えば、スピーカが搭載されたクレードル装置が提供されている。また、携帯電話機の表示面の角度をかえるためスタンドを有するクレードル装置等が提供されている。
【特許文献１】特開２００３−１３４６８０号公報
【発明の開示】
【発明が解決しようとする課題】
【０００４】
しかし、このように高機能化したクレードル装置を携帯電話機ごとに製造することは、コスト面での負担が増加するという問題があった。
【０００５】
本発明は、電子部を有する本体部と、携帯端末装置が載置される載置部とを別個に構成することで、携帯端末装置に応じた載置部に交換できるクレードル装置を提供することを目的とする。
【課題を解決するための手段】
【０００６】
本発明は、電子部を有する本体部と、前記本体部に着脱可能に連結されると共に、携帯端末装置が載置された状態で該携帯端末装置に配置される被接続端子と電気的に接続される接続端子を有する載置部と、前記本体部と前記載置部とを連結する連結部材と、前記接続端子と前記電子部とを電気的に接続させる接続部材と、を備えることを特徴とするクレードル装置に関する。
【０００７】
また、前記電子部は、電力供給部を有し、前記接続端子は、前記載置部に前記携帯端末装置が載置された場合、前記接続部材を介して前記電力供給部から供給された電力を前記被接続端子に出力することが好ましい。
【０００８】
また、前記電子部は、スピーカを有し、前記接続端子は、前記載置部に前記携帯端末装置が載置された場合、前記被接続端子から出力された音響信号を前記接続部材を介して前記スピーカに出力することが好ましい。
【０００９】
また、前記電子部は、アンテナ部品を有し、前記接続端子は、前記載置部に前記携帯端末装置が載置された場合、前記接続部材を介して前記アンテナ部品から出力される放送受信信号を前記被接続端子に出力することが好ましい。
【００１０】
また、前記接続部材は、前記連結部材と一体的に配置され  前記載置部と前記本体部とが前記連結部材により連結された場合、前記接続端子と前記電子部とが電気的に接続されることが好ましい。
【００１１】
また、前記載置部は、前記連結部材により前記本体部に対して回動可能に連結されることが好ましい。
【発明の効果】
【００１２】
本発明によれば、電子部を有する本体部と、携帯端末装置が載置される載置部とを別個に構成することで、携帯端末装置に応じた載置部に交換できるクレードル装置を提供することができる。
【発明を実施するための最良の形態】
【００１３】
以下、図面を参照して本発明を実施するための最良の形態を説明する。なお、以下、携帯端末装置として携帯電話機について説明するが、本発明の電子機器はこれに限定されるものではなく、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。また、クレードル装置として充電用のクレードルについて説明するが、本発明のクレードルはこれに限定されるものではなく、充電機能を有しないものであってもよい。
【００１４】
図１により、クレードルシステムＳにおける基本構造について説明する。図１はクレードルシステムＳの斜視図を示す。
図１に示すように、本実施形態におけるクレードルシステムＳは、携帯端末装置としての携帯電話機１と、充電用のクレードル２とを備える。携帯電話機１は、クレードル２に形成された凹部９０１に収納されるようにクレードル２に載置される。
【００１５】
図２及び図３により、携帯電話機１について説明する。図２は、ディスプレイ３０が外面を向くように折り畳まれた状態の携帯電話機１における斜視図を示す。図３は、図２における携帯電話機１の背面からみた斜視図を示す。
【００１６】
図２及び図３に示すように、携帯電話機１は、操作部側筐体１２と、表示部側筐体１３とを備える。操作部側筐体１２と表示部側筐体１３とは２軸ヒンジ機構を備える連結筐体４を介して連結され、該携帯電話機１を開状態及び閉状態に変形可能とすると共に、開状態及び閉状態それぞれにおいて表示部側筐体１３を表状態と裏状態とに切り替えることができる。
【００１７】
ここで、閉状態とは、両筐体が互いに重なるように配置された状態であり、開状態とは、両筐体が互いに重ならないように配置された状態をいう。そして、開状態における表状態とは、後述する表示部側筐体１３における表面３Ａに配置されるディスプレイ３０と、操作部側筐体１２における表面２Ａに配置される不図示の操作キー群とが同じ側を向くように配置された状態であり、開状態における裏状態とは、表示部側筐体１３におけるディスプレイ３０と操作部側筐体１２における操作キー群とが反対側を向くように配置された状態をいう。また、閉状態における表状態とは、表示部側筐体１３におけるディスプレイ３０が操作部側筐体１２における操作キー群に対向するように配置された状態であり、閉状態における裏状態とは、表示部側筐体１３におけるディスプレイ３０が操作部側筐体１２における操作キー群と対向せずに表出した状態である。
【００１８】
図１及び図２に示すように、携帯電話機１の閉状態における裏状態の携帯電話機１の外面には、図１及び図２からみた正面にディスプレイ３０が露出して配置される。具体的には、携帯電話機１における図１及び図２からみた正面に、各種情報を表示するための所定形状のディスプレイ３０と、副操作キー群３３とが露出して配置される。そして、図２における上方側の側面には、受信角度を調整可能な放送信号を受信するためのアンテナ２２と、サイドキー２０ａ、２０ｂとが露出して配置される。
【００１９】
ディスプレイ３０には、各種文字情報のほか、ＴＶ画像や写真画像等の画像情報が表示される。例えば、ディスプレイ３０は、アンテナ２２や後述する外部アンテナにより受信された放送受信信号に基づいてＴＶ画像を表示させる。
【００２０】
副操作キー群３３は、連結筐体４に配置される。副操作キー群３３は、第１キー３３ａと、第２キー３３ｂと、第３キー３３ｃとにより構成される。第２キーは、第１部３３ｂｘと、第２部３３ｂｙとを有する。この副操作キー群３３を構成する各キーそれぞれには、操作部側筐体１２と表示部側筐体１３との開閉状態や表裏状態等の変形状態や、起動されているアプリケーションの種類に応じて所定の機能が割り当てられる（キー・アサイン）。携帯電話機１において、操作キー群を構成する各キーが使用者により押圧されることで、各キーに割り当てられている機能に応じた動作が実行される。
【００２１】
アンテナ２２は、操作部側筐体１２の側面に回動可能に連結される。アンテナ２２は、放送信号を好適に受信できる角度に適宜調整される。ここで、図１に示すように、クレードル２に載置された状態においてアンテナ２２はアンテナ収容部に収容されている。
【００２２】
サイドキー２０ａ、２０ｂは、操作部側筐体１２と表示部側筐体１３との開閉状態や表裏状態等の変形状態や、起動されているアプリケーションの種類に応じて所定の機能が割り当てられる（キー・アサイン）。サイドキー２０が使用者により押圧されることで、携帯電話機１においてサイドキー２０に割り当てられている機能に応じた動作が実行される。
【００２３】
図３に示すように、携帯電話機１の図２における正面と反対側の面には、携帯電話機側端子群（被接続端子）１９と、バッテリ９０を覆うように配置されるバッテリリッド２５が露出して配置される。
【００２４】
バッテリリッド２５は、バッテリ９０を装着するための開口９２ａを塞ぐと共に、バッテリ９０を覆うように配置される。バッテリリッド２５に覆われて収納されるバッテリ９０は、不図示の回路基板に実装される電子部品等に電力を供給すると共に、後述する充電端子１９ａを介してクレードル２から供給される電力により充電される。
【００２５】
携帯電話機側端子群１９は、充電端子１９ａと、グランド端子１９ｂと、音響信号を出力する音響信号出力端子１９ｃと、不図示のＣＰＵからの制御信号を出力する制御信号出力端子１９ｄ、放送受信信号入力端子１９ｅとにより構成される。この携帯電話機側端子群１９は、携帯電話機１がクレードル２に載置された状態で、クレードル側端子群（接続端子）９１１に当接するように形成される。
【００２６】
携帯電話機１の内部構造について説明する。まず、操作部側筐体１２は、操作キー群を構成するキーシートと、キースイッチが配置されるフレキシブルプリント配線基板と、シールドケースと、通信用のアンテナ部と、基準電位パターン層及びＲＦ（Ｒａｄｉｏ  Ｆｒｅｑｕｅｎｃｙ）モジュール等の各種電子部品が実装される回路基板とを備える。回路基板に実装される電子部品は、音響制御信号を出力するＣＰＵ、音響信号を記憶するメモリ等を含む。
【００２７】
なお、本実施形態においては、折り畳み可能な携帯電話機１の説明をしているが、このような折り畳み式ではなく、操作部側筐体１２と表示部側筐体１３とを重ね合わせた状態から一方の筐体を一方向にスライドさせるようにしたスライド式や、操作部側筐体１２と表示部側筐体１３との重ね合せ方向に沿う軸線を中心に一方の筐体を回転させるようにした回転（リボルバ）式や、操作部側筐体１２と表示部側筐体１３とが一つの筐体に配置され連結筐体を有さない型式（ストレートタイプ）でもよい。
【００２８】
続けて、図４から図１１により、クレードル２について説明する。図４は、載置部２１０が傾いた状態におけるクレードル２の斜図を示す。図５は、図４に示されるクレードル２の斜視裏面図を示す。図６は、載置部２１０の斜視正面図を示す。図７は、載置部２１０の斜視裏面図を示す。図８は、本体部２２０の斜視正面図を示す。図９は、本体部２２０の裏面と底面を説明する図を示す。図１０は、クレードル２の内部構造を説明する図を示す。図１１は、載置部を交換した場合のクレードル２を説明する図を示す。
【００２９】
図４及び図５に示すように、クレードル２は、載置部２１０と本体部２２０とを備える。載置部２１０は、本体部２２０に配置され接続部材８００と一体的に形成される連結部材７００により回動（可倒）可能に連結される。また、載置部２１０は、本体部２２０に着脱可能に連結される。
【００３０】
載置部２１０は、本体部２２０に対して任意の角度に傾けることができる。例えば、凹部９０１に戴置された状態での携帯電話機１のディスプレイ３０が見やすい角度に傾けることができる。
【００３１】
ここで、接続部材８００が連結部材７００と一体的に構成されるので、載置部２１０を本体部２２０に連結することで、載置部２１０における所定の端子等と本体部２２０における所定の電子部品等とは電気的に接続される。具体的には、載置部２１０を本体部２２０に連結することで、載置部２１０に形成されるクレードル側端子群９１１は、接続部材８００を介して本体部２２０に配置される後述するスピーカ５００、給電部を構成するＡＣアダプタ用コネクタ（及び電源）、アンテナ部品を構成する外部入出力用コネクタ（及び外部アンテナ）等を含む電子部と電気的に接続される。更には、図１に示すように携帯電話機１がクレードル２載置された状態では、携帯電話機側端子群１９は、クレードル側端子群９１１及び接続部材８００を介して上述の電子部と電気的に接続される。
【００３２】
図６に示すように、載置部２１０は、携帯電話機１が載置される凹部９０１と、凹部９０１の底面を構成する載置面９０２から突出するように配置されるクレードル側端子群９１１とを備える。また、図１０に示すように、載置部２１０は内部に収納配置される回路基板２１９を有する。
【００３３】
凹部９０１は、携帯電話機１の外形に対応した形状に形成される。凹部９０１は載置部２１０の一面に形成される窪んだ領域である。携帯電話機１は、該携携帯電話機１の厚さ方向における一部が収容されるようにして凹部９０１に載置される。
【００３４】
給電端子群９１１は、給電端子９１１ａと、グランド端子９１１ｂと、音響信号入力端子９１１ｃと、制御信号入力端子９１１ｄと、放送受信信号出力端子９１１ｅとにより構成される。図１０に示すように、各端子は、導電性の針金状部材を載置面９０２から突出する突部を有するように折り曲げて形成される。また、給電端子群９１１は、載置部４１９に収納される回路基板２１９に電気的に接続される。
【００３５】
給電端子群９１１は、携帯電話機１が載置された状態で、携帯電話機側端子群１９と電気的に接続される。具体的には、携帯電話機１が載置された状態で、給電端子９１１ａと充電端子１９ａとが電気的に接続され、グランド端子９１１ｂとグランド端子１９ｂとが電気的に接続され、音響信号入力端子９１１ｃと音響信号出力端子１９ｃとが接続され、制御信号入力端子９１１ｄと制御信号出力端子１９ｄとが接続され、放送受信信号出力端子９１１ｅと放送受信信号入力端子１９ｅとが接続される。
【００３６】
図７に示すように、載置部２１０における凹部９０１が形成された側と反対側の面には、連結部材７００が嵌合するように配置される連結用凹部７１０と、連結用凹部７１０の両側面に形成され後述する軸部材７２０が挿入される被挿入部７３０、７３０と、連結用凹部７１０の被挿入部７３０、７３０が形成される側面に垂直な面７４０から突出するように形成される被接続端子群９１３とを備える。
【００３７】
連結用凹部７１０は、本体部２２０に形成される連結部材７００を覆うように配置される。そして、被挿入部７３０、７３０に軸部材７２０の両端それぞれが挿入されることで、載置部２１０は本体部２２０に回動可能で着脱可能に連結される。この状態において、被接続端子群９１３は、接続部材８００に電気的に接続される。
【００３８】
被接続端子群９１３は、給電被接続端子９１３ａと、グランド被接続端子９１３ｂと、音響信号被接続端子９１３ｃと、制御信号被接続端子９１３ｄと、放送受信信号被接続端子９１３ｅとにより構成される。各端子は、導電性で板状の部材を面７４０から突出する突起部を有するように変形させて形成される。図１０に示すように、各端子を構成する板状の部材それぞれは、配線９１５を介して回路基板２１９に電気的に接続される。各端子は、連結用凹部７１０を構成する面７４０から突出するように形成されるので、載置部２１０が本体部２２０に連結された状態において、接続部材８００にそれぞれ電気的に接続される。例えば、載置部２１０の本体部２２０に対する傾きを変えるように回動させた場合でも、被接続端子群９１３と接続部材８００との電気的接続は維持される。
【００３９】
図８から図１０に示すように、本体部２２０は、上面２２１から突出して形成される連結部材７００と、連結部材７００と一体的に形成される接続部材８００と、下面２２２から音出力面５１０が露出するように配置されるスピーカ５００と、回路基板２２９と、上面２２１と下面２２２とをつなぐ側面２２３に形成されアンテナ部を構成する外部入出力コネクタ５５０及び給電部を構成するＡＣアダプタ用コネクタ５６０とを備える。
【００４０】
回路基板２２９には、スピーカ５００、外部入出力コネクタ５５０、ＡＣアダプタ用コネクタ５６０、接続部材８００等が電気的に接続される。
【００４１】
スピーカ５００は、音出力面５１０が露出した状態でスピーカボックス５２０に収納される。スピーカボックス５２０は、下面２２２に形成される開口からスピーカ５００の音出力面５１０が露出されるように配置された状態で固定される。スピーカ５００は、携帯電話機１からの音響信号に基づいて音声を出力する。
【００４２】
給電部を構成するＡＣアダプタ用コネクタ５６０には、一端が外部電源に接続される不図示のＡＣアダプタが接続される。外部電源から供給される電力は、クレードル２に載置された携帯電話機１に収納されるバッテリ９０に供給される。
【００４３】
アンテナ部を構成する外部入出力コネクタ５５０には、不図示の外部アンテナに接続される外部入出力用のアダプタが接続される。外部アンテナにより受信された放送信号は、放送受信信号としてクレードル２に載置された携帯電話機１に出力される。ここで、外部アンテナから放送受信信号が出力されている状態においては、外部アンテナからの放送受信信号が携帯電話機１に配置されるアンテナ２２により受信された放送受信信号よりも優先されるよう制御される。そして、この放送受信信号に含まれる映像信号は所定の映像信号処理部を介してディスプレイ３０に出力され、放送受信信号に含まれる音響信号はクレードル２のスピーカ５００に出力される。
【００４４】
連結部材７００は、本体部２２０の上面２２１から突出して形成され、上面側が曲面状に形成された部材である。連結部材７００の長手方向における両端には、断面が円状の軸部材７２０が該連結部材７００から延出して配置される。
【００４５】
接続部材８００は、連結部材７００の一部を構成する導電性の部材であり、Ｕ字状に形成された部材が突出する側を上面に向けて連続的に配置されることで形成される。このＵ字状の部材は、後述する各接続端子を構成する。
【００４６】
接続部材８００は、給電接続端子８００ａと、グランド接続端子８００ｂと、音響信号接続端子８００ｃと、制御信号接続端子８００ｄと、放送受信信号接続端子８００ｅとにより構成される。図１０に示すように、各端子は、上述のＵ字状の部材により構成され、この各接続端子を構成するＵ字状の部材は、配線８０９を介して回路基板２２９に接続される。
【００４７】
接続部材８００は、載置部２１０が連結部材７００を介して本体部２２０に連結された状態で、被接続端子群９１３に電気的に接続される。つまり、載置部２１０の連結用凹部７１０が本体部２２０の連結部材７００に連結されると、給電接続端子８００ａと給電被接続端子９１３ａとが電気的に接続され、グランド接続端子８００ｂとグランド被接続端子９１３ｂとが電気的に接続され、音響信号接続端子８００ｃと音響信号被接続端子９１３ｃとが電気的に接続され、制御信号接続端子８００ｄと制御信号被接続端子９１３ｄとが接続され、放送受信信号接続端子８００ｅと放送受信信号被接続端子９１３ｅとが電気的に接続される。
【００４８】
これにより、所定の電源から供給された電力は、給電接続端子８００ａと給電被接続端子９１３ａと給電端子９１１ａと充電端子１９ａとを介してバッテリ９０に供給される。
【００４９】
また、グランド接続端子８００ｂとグランド被接続端子９１３ｂとグランド端子１９ｂとグランド端子９１１ｂとが電気的に導通することで、静電気による悪影響が低減される。
【００５０】
また、携帯電話機１の内部に配設された不図示の音響信号出力部から出力される音響信号は、音響信号出力端子１９ｃと音響信号入力端子９１１ｃと音響信号被接続端子９１３ｃと音響信号接続端子８００ｃとを介してスピーカ５００に出力される。
【００５１】
また、ＣＰＵから出力される音響制御信号は、制御信号出力端子１９ｄと制御信号入力端子９１１ｄと制御信号被接続端子９１３ｄと制御信号接続端子８００ｄとを介してスピーカ５００に出力される。
【００５２】
また、外部入出力コネクタ５５０に接続される外部入出力用アダプタを介して接続される外部アンテナにより受信された放送受信信号は、放送受信信号接続端子８００ｅと放送受信信号被接続端子９１３ｅと放送受信信号出力端子９１１ｅと放送受信信号が放送受信信号入力端子１９ｅを介して携帯電話機１の回路基板に実装される不図示の放送受信信号処理部に出力される。そして、放送受信信号に含まれる映像信号は、所定の映像信号処理部を介してディスプレイ３０に出力され、放送受信信号に含まれる音響信号は、所定の音響信号処理部を介してクレードル２のスピーカ５００に出力される。
【００５３】
ここで、図１１に示すように、クレードル２は、載置部２１０を異なる載置部２１０Ａに交換することができる。言い換えると、クレードル２は、本体部２２０に着脱可能に連結される載置部２１０を、凹部９０１の形状が異なる他の載置部２１０Ａに交換することができる。載置部２１０Ａは、凹部９０１Ａの形状のみが載置部２１０と異なり、他の構造は同じになるように構成される。特に、連結部材７００及び接続部材８００の形状や構造は同じになるように構成される。
【００５４】
つまり、本実施形態のクレードル２は、本体部２２０を共通の構成物として、各種携帯電話機の形状に応じて形成された凹部を有する所定の載置部を連結して構成される。例えば、異なる種類の携帯電話機を載置して充電やＴＶ放送を受信する場合、載置部２１０を取り外して、この携帯電話機の形状等に応じた凹部を有する載置部を本体部２２０に連結することで対応できる。
【００５５】
本実施形態のクレードル２によれば、載置部のみを交換することで、各種携帯電話機等の携帯端末装置に対応したクレードルを得ることができる。
【００５６】
また、これより、各種携帯端末装置に用いられるクレードルの製造コストを抑制することができる。同様に、クレードルにおける開発や設計にかかるコストを抑制することができる。同様に、ユーザは、各種携帯端末装置ごとに載置部のみを購入すればよいので、購入費用を抑制することができる。本実施形態のクレードル２は、クレードル自体の機能が向上した場合や多くの機能が付加された場合に好適である。
【００５７】
また、本実施形態において、連結部材７００と接続部材８００とは一体的に形成されているので、載置部２１０を本体部２２０に連結するだけで、載置部２１０に配置される各接続端子と本体部２２０に配置又は接続される電気部とを電気的に接続させることができる。
【００５８】
また、本実施形態において、載置部２１０は本体部２２０に回動（可倒）可能に連結されるので、載置部２１０に載置された携帯端末装置のディスプレイをみやすい角度にその傾きを調整することができる。
【００５９】
以上、本形態の好適な実施形態について説明したが、本発明は上述した実施形態に限定されることなく種々の形態で実施することができる。例えば、本実施形態において、給電部を構成する給電源として外部電源を用いた場合について説明しているが、これに限定されず、給電源として、バッテリ、太陽電池パネル、燃料電池等を用いてもよい。
【００６０】
また、本実施形態において、本体部２２０の外部アンテナが接続される場合について説明しているが、これに限定されず、本体部２２０にアンテナが内蔵されていてもよい。
【００６１】
また、本実施形態において、載置部２１０と本体部２２０とは軸部材等により連結されるが、これに限定されず、磁力により連結するように構成してもよい。
【００６２】
また、本実施形態において、載置部２１０における連結用凹部７１０は被接続端子群９１３が常時露出するように形成されるが、これに限定されず、連結用凹部７１０を覆う状態と覆わない状態に切り替え可能なカバーを配置することができる。これにより、本体部２２０に連結されない状態において被接続端子群９１３に埃等が付着することを抑制できる。また、カバーを連結用凹部を７１０を覆わない状態にあるときに載置部２１０の裏面側に位置するように連結することで、連結部２１０の傾きを制限して連結部２１０の傾き状態を所定の角度に維持するための部材として機能させることもできる。
【図面の簡単な説明】
【００６３】
【図１】クレードルシステムＳの斜視図を示す。
【図２】ディスプレイ３０が外面を向くように折り畳まれた状態の携帯電話機１における斜視図を示す。
【図３】図２における携帯電話機１の背面からみた斜視図を示す。
【図４】載置部２１０が傾いた状態におけるクレードル２の斜図を示す。
【図５】図４に示されるクレードル２の斜視裏面図を示す。
【図６】載置部２１０の斜視正面図を示す。
【図７】載置部２１０の斜視裏面図を示す。
【図８】本体部２２０の斜視正面図を示す。
【図９】本体部２２０の裏面と底面を説明する図を示す。
【図１０】クレードル２の内部構造を説明する図を示す。
【図１１】載置部を交換した場合のクレードル２を説明する図を示す。
【符号の説明】
【００６４】
１      携帯電話機
２      クレードル
１９    携帯電話機側端子群
３０    ディスプレイ
２１０  載置部
２２０  本体部
７００  連結部材
８００  接続部材
９０１  凹部
９１１  クレードル側端子群
【図１】
2008252277.tif 000003
【図２】
2008252277.tif 000004
【図３】
2008252277.tif 000005
【図４】
2008252277.tif 000006
【図５】
2008252277.tif 000007
【図６】
2008252277.tif 000008
【図７】
2008252277.tif 000009
【図８】
2008252277.tif 000010
【図９】
2008252277.tif 000011
【図１０】
2008252277.tif 000012
【図１１】
2008252277.tif 000013